(57)【要約】本発明に係る幼児用飲料容器は飲料を入れる容器及び容器の上部を開閉する蓋を含む乳児用飲料容器において、蓋は、容器の上部に結合されて容器の内部空間を外部と遮断する本体部と、本体部に結合されてストローを差し込むことができるストロー差込部と、ストロー差込部本体部に固定できるようにストロー差込部の下側から本体部に結合される固定部と、を含むことを特徴とする。したがって、容器に入った飲料を飲む時に飲料が容器の外部に流れることを防止することができる。また、様々な種類のストローを利用して容器に入った飲料を飲むことができ、洗浄のために部品の分離が可能であり、長期間繰り返し使用しても清潔な衛生状態を維持することができる。【選択図】図１
2016515503.tif 000002
【特許請求の範囲】
【請求項１】
飲料を入れる容器及び前記容器の上部を開閉する蓋を含む乳児用飲料容器において、
前記蓋は、
前記容器の上部に結合されて容器の内部空間を外部と遮断する本体部と、
前記本体部に結合されてストローを差し込むことができるストロー差込部と、を含むことを特徴とする乳児用飲料容器。
【請求項２】
前記ストロー差込部を前記本体部に固定することができるようにストロー差込部の下側で本体部に結合される固定部をさらに含むことを特徴とする請求項１に記載の乳児用飲料容器。
【請求項３】
前記本体部は、上下を貫通する第１の貫通孔が形成され、前記第１の貫通孔の周りに装着部が下側に延長形成され、前記装着部の内周面下部には、係止段が内側に突出形成され、前記ストロー差込部は、前記装着部の係止段に係止されて結合されることを特徴とする請求項１に記載の乳児用飲料容器。
【請求項４】
前記本体部は、上下を貫通する第１の貫通孔が形成され、前記第１の貫通孔の周りに装着部が下側に延長形成され、前記装着部の外周面上部には、固定溝が内側に形成され、
前記固定部は、前記装着部を取り囲むような形でストローが通過できる第３の貫通孔が下部に形成され、前記固定溝に結合される固定段が突出形成されることを特徴とする請求項２に記載の乳児用飲料容器。
【請求項５】
前記ストロー差込部は、第１のディスク及び第２のディスクを含み、前記第１のディスクには軟質の遮断膜が形成され、前記第２のディスクには第２の貫通孔が形成されるが、前記遮断膜には、ストローが通過できる切開部が形成されることを特徴とする請求項１に記載の乳児用飲料容器。
【請求項６】
前記ストロー差込部は、前記ストローが通過する貫通孔が形成され、前記貫通孔の周りに伸縮性を有する可撓部が形成された第１のディスクと、
前記第１のディスクに重なって、前記ストローが通過し、ストローの外周面に密着するように伸縮性を有するシールに切開部が形成された第２のディスクと、を含むことを特徴とする請求項１に記載の乳児用飲料容器。
【請求項７】
前記第１のディスク及び第２のディスクは、連結部の両側に位置して前記連結部を中心に折れるように一体に形成されることを特徴とする請求項５または請求項６に記載の乳児用飲料容器。
【請求項８】
前記第１のディスクは、容器の外部から内部に空気が通ることができる気孔が少なくとも一つ以上形成されることを特徴とする請求項５または請求項６に記載の乳児用飲料容器。
【請求項９】
前記気孔は、上部が広く下部が狭い漏斗状からなることを特徴とする請求項８に記載の乳児用飲料容器。
【請求項１０】
前記第１のディスクは、下端の縁に沿って、第１の段差が形成されて前記第１のディスクと前記第２のディスクとの間のエッジは密閉され、中央部には空間が形成されることを特徴とする請求項６に記載の乳児用飲料容器。
【請求項１１】
前記第２のディスクは、上面のエッジから前記段差の幅だけ離隔された位置に第２の突出部が形成されて前記第１のディスクと前記第２のディスクとの間のエッジは密閉され、中央部には空間が形成されることを特徴とする請求項１０に記載の乳児用飲料容器。
【請求項１２】
前記第２のディスクは、前記気孔が当接する所のエッジの外側を半分程度取り囲んで前記第１の突出部から延長形成される弧状突出部が形成されることを特徴とする請求項１０に記載の乳児用飲料容器。
【請求項１３】
前記第１のディスクは、上面に第１の突出部が形成されることを特徴とする請求項６に記載の乳児用飲料容器。
【請求項１４】
前記第２のディスクは、下端の縁に沿って第２の段差が形成されることを特徴とする請求項６に記載の乳児用飲料容器。
【発明の詳細な説明】
【技術分野】
【０００１】
本発明は、乳児用飲料容器に関し、より詳細には、赤ちゃんが水、牛乳、ジュースなどの飲料を容器に入れて飲む時に飲料がこぼれず安全に使用できる幼用児飲料容器に関する。
【背景技術】
【０００２】
一般に、幼児は体の発育が完成されていないため、挙動が自由ではない。幼児に水、牛乳、ジュースなどの飲料をコップなどに入れてあげると、飲み流す場合が多く、服や周辺を汚す問題点があった。
【０００３】
これらの問題点を解決するために韓国登録実用新案第２０−０４６６７２８号の「幼児用多用途カップ」は、蓋部ラッパ蔕とそのラッパ蔕の穴に形成されたカバー膜の構成で中身が外部にこぼれることを防止する内容を開示している。
【０００４】
また、韓国公開特許第２００１−００１６１２６号の「ストローとこのストローが備えられた気密飲料容器」は、飲料容器の内容物をストローで必要な量だけ飲んだ後、ストローを折り畳んで固定することにより、容器に残っている飲料を気密に保管できるストローが備えられた気密飲料容器に関する内容が開示されている。
【０００５】
また、韓国登録実用新案第２０−０１２９０３２号の「幼児用カップ」は、流出孔に挿入されるストローは、補助栓の内周面に形成された環状突起を介して、その上端が常時係止された状態態で保管されるようにして、補助栓の外周縁に形成された環状突起は接触される流出孔の外周縁と密着して気密を維持するようにすることにより、流出孔に飲料が流出しないようにする幼児用カップに関する内容が開示されている。
【０００６】
一方、従来技術は、蓋付きの容器は、開口部が広過ぎるため、幼児がストローを使用せずに飲食する過程で内容物が流れ出てこぼれることに問題点があり、ストローを使用して飲食する場合にもストローを差し込んだ部位に形成される隙間から内容物が漏出される問題点があった。
【先行技術文献】
【特許文献】
【０００７】
【特許文献１】韓国登録実用新案第２０−０４６６７２８号
【特許文献２】韓国公開特許公報第２００１−００１６１２６号
【特許文献３】韓国登録実用新案第２０−０１２９０３２号
【発明の概要】
【発明が解決しようとする課題】
【０００８】
本発明は、上述した従来の問題点を解決するためのもので、下記のような課題の解決を目的とする。
第一に、容器に入った飲料を飲む時に飲料が容器外に流れることを防止しようとする。
第二に、様々な種類のストローを利用して容器に入った飲物を飲むことができるようにする。
第三に、洗浄のために部品の分離が可能にしようとする。
第四に、長期間繰り返し使用しても清潔な衛生状態を維持しようとする。
【課題を解決するための手段】
【０００９】
本発明の課題は、飲料を入れる容器及び前記容器の上部を開閉する蓋を含む乳児用飲料容器において、前記蓋は、前記容器の上部に結合されて容器の内部空間を外部と遮断する本体部；及び前記本体部に結合されてストローを差し込むことができるストロー差込部；を含むことを特徴とする乳児用飲料容器によって達成できる。
【００１０】
本発明の好ましい特性によると、前記ストロー差込部を前記本体部に固定することができるようにストロー差込部の下側で本体部に結合される固定部をさらに含む。
【００１１】
本発明の好ましい特性によると、前記本体部は、上下を貫通する第１の貫通孔が形成され、前記第１の貫通孔の周りに装着部が下側に延長形成され、前記装着部の内周面下部には、係止段が内側に突出形成され、前記ストロー差込部は、前記装着部の係止段に係止されて結合される。
【００１２】
本発明の好ましい特性によると、前記本体部は、上下を貫通する第１の貫通孔が形成され、前記第１の貫通孔の周りに装着部が下側に延長形成され、前記装着部の外周面上部には、固定溝が内側に形成され、前記固定部は、前記装着部を取り囲むような形でストローが通過できる第３の貫通孔が下部に形成され、前記固定溝に結合される固定段が突出形成される。
【００１３】
本発明の好ましい特性によると、前記ストロー差込部は、第１のディスク及び第２のディスクを含み、前記第１のディスクには軟質の遮断膜が形成され、前記第２のディスクには第２の貫通孔が形成されるが、前記遮断膜には、ストローが通過できる切開部が形成される。
【００１４】
本発明の好ましい特性によると、前記ストロー差込部は、前記ストローが通過する貫通孔が形成され、前記貫通孔の周りに伸縮性を有する可撓部が形成された第１のディスクと、前記第１のディスクに重なって、前記ストローが通過し、ストローの外周面に密着するように伸縮性を有するシールに切開部が形成された第２のディスクと、を含む。
【００１５】
本発明の好ましい特性によると、前記第１のディスク及び第２のディスクは、連結部の両側に位置して前記連結部を中心に折れるように一体に形成される。
【００１６】
本発明の好ましい特性によると、前記第１のディスクは、容器の外部から内部に空気が通ることができる気孔が少なくとも一つ以上形成される。
【００１７】
本発明の好ましい特性によると、前記気孔は、上部が広く下部が狭い漏斗状からなる。
【００１８】
本発明の好ましい特性によると、前記第１のディスクは、下端の縁に沿って、第１の段差が形成されて前記第１のディスクと前記第２のディスクとの間のエッジは密閉され、中央部には空間が形成される。
【００１９】
本発明の好ましい特性によると、前記第２のディスクは、上面のエッジから前記段差の幅だけ離隔された位置に第２の突出部が形成されて前記第１のディスクと前記第２のディスクとの間のエッジは密閉され、中央部には空間が形成される。
【００２０】
本発明の好ましい特性によると、前記第２のディスクは、前記気孔が当接する所のエッジの外側を半分程度取り囲んで前記第１の突出部から延長形成される弧状突出部が形成される。
【００２１】
本発明の好ましい特性によると、前記第１のディスクは、上面に第１の突出部が形成される。
【００２２】
本発明の好ましい特性によると、前記第２のディスクは、下端の縁に沿って第２の段差が形成される。
【発明の効果】
【００２３】
本発明に係る幼児用飲料容器は、容器の蓋に本体部、ストロー差込部、及び固定部を含むため、容器に入った飲料を飲む時に飲料が容器外に流れることを防止することができる。
【００２４】
また、様々な種類のストローを利用して容器に入った飲料を飲むことができ、洗浄のために部品の分離が可能であり、長期間繰り返し使用しても清潔な衛生状態を維持することができる。
【図面の簡単な説明】
【００２５】
【図１】本発明の第一の実施形態に係る幼児用飲料容器の斜視図である。
【図２】図１の分離斜視図である。
【図３】本発明の第一の実施形態に係る蓋の分離斜視図である。
【図４】本発明の第一の実施形態に係る蓋の分離断面図である。
【図５】本発明の第一の実施形態に係る蓋の断面図及び部分拡大図である。
【図６】本発明の第一の実施形態に係る蓋の断面図及び部分拡大図である。
【図７】本発明の第一の実施形態に係るストロー差込部の拡大斜視図である。
【図８】本発明の第一の実施形態に係る幼児用飲料容器にストローを差し込んだ斜視図である。
【図９】本発明の第一の実施形態に係る幼児用飲料容器にストローを差し込んだ部分断面図及び拡大断面図である。
【図１０】本発明の第二の実施形態に係る幼児用飲料容器の斜視図である。
【図１１】本発明の第二の実施形態に係るストロー差込部の拡大斜視図である。
【図１２】本発明の第二の実施形態に係るストロー差込部の拡大平面図である。
【図１３】本発明の第二の実施形態に係るストロー差込部の拡大底面図である。
【図１４】本発明の第二の実施形態に係る左側面図である。
【図１５】本発明の第二の実施形態に係る第１のディスクと第２のディスクが重なった状態図である。
【図１６】本発明の第二の実施形態に係る部分拡大断面図である。
【図１７】本発明の第二の実施形態に係る分離状態図である。
【図１８】本発明の第二の実施形態に係る幼児用飲料容器にストローを差し込んだ部分断面図である。
【発明を実施するための形態】
【００２６】
以下、本発明の好ましい実施形態に係る幼児用飲料容器を添付した図面を参照して詳細に説明する。
【００２７】
図１乃至図１８を参照すると、本発明の一実施形態に係る幼児用飲料容器が示されている。
【００２８】
本発明に係る乳児用飲料容器は、飲料を入れる容器１０及び前記容器１０の上部を開閉する蓋１００を含む乳児用飲料容器において、前記蓋１００は、前記容器１０の上部に結合されて容器１０の内部空間を外部と遮断する本体部１２０と、前記本体部１２０に結合されてストロー２０を差し込むことができるストロー差込部１４０と、前記ストロー差込部１４０を前記本体部１２０に固定することができるようにストロー差込部１４０の下側で本体部１２０に結合される固定部とを含む。
【００２９】
本発明の第一の実施形態によると、図１乃至図４に示すように、前記蓋１００は、上から下の方向に本体部１２０、ストロー差込部１４０、固定部１６０の順に結合される。
【００３０】
前記本体部１２０は、容器１０の上側開口部を略密閉する部分であり、上下を貫通する第１の貫通孔１２２が形成され、前記第１の貫通孔１２２の周りに装着部１２４が下側に延長形成される。前記装着部１２４は、前記本体部１２０の下部に円筒状に形成され、径が前記第１の貫通孔１２２よりも大きい。
【００３１】
尚、前記装着部１２４の内周面下部には、係止段１２６が内側に突出形成され、前記装着部１２４の外周面上部には固定溝１２８が内側に形成される。従って、前記ストロー差込部１４０は、前記装着部１２４の係止段１２６に締まり嵌めされて結合されて前記装着部１２４の内部に位置することになる。
【００３２】
前記固定部１６０は、側面から見た断面がおおよそ「┗┛」形状であり、前記装着部１２４の外側を取り囲む形でストロー２０が通過できる第３の貫通孔１６４が下部に形成され、前記装着部１２４の固定溝１２８に結合される固定段１６２が上部内側に突出形成されて前記装着部１２４に締まり嵌めされる 。
【００３３】
つまり、前記ストロー差込部１４０は、前記装着部１２４に締まり嵌めされて結合されるが、前記固定部１６０が二重にストロー差込部１４０を固定して装着部１２４から離脱することを防止するようになる。
【００３４】
図３を参照すると、前記ストロー差込部１４０は、円板状の第１のディスク１４１と第２のディスク１４５を含み、前記第１のディスク１４１は、中心部に軟質の遮断膜が形成され、前記第２のディスク１４５は、中心部に第２の貫通孔１４８が形成され、前記遮断膜にはストロー２０が通過できる切開部１４４が形成される。ここで、前記切開部１４４は、ストロー２０が通過できる様々な形態が可能であり、二つ以上の切開線が交差する形が好ましい。
【００３５】
第２のディスク１４５は、容器１０の外部から内部に空気が通ることができる気孔１４７が一つ以上形成される。前記気孔１４７は、ストロー２０を利用して容器１０の内部の飲料を飲む時、容器１０の外部の空気が内部に入って飲料を吸いやすくする。つまり、前記気孔１４７は、前記ストロー差込部１４０にストロー２０を差し込む場合、前記第３の貫通孔１６４と切開部１４４との間の隙間を連結して、容器１０の外部と内部の空気が流れるようにするものである。したがって、前記気孔１４７は、空気は流れるが、飲料が容器１０の外部に排出し難いように小径で一つ以上形成されることが好ましい。
【００３６】
また、図７を参照すると、前記第１のディスク１４１及び第２のディスク１４５は、連結部１４９の両側に位置して前記連結部１４９を中心に折れるよう一体に形成することができる。また、図３を参照すると、前記連結部１４９によって第１のディスク１４１と第２のディスク１４５が一体に形成される場合、前記装着部１２４の一側は、前記連結部１４９が安着できるように開放される。
【００３７】
また、前記第１のディスク１４１と第２のディスク１４５は、位置が互いに変わることも可能である。つまり、第１のディスク１４１が下に位置し、第２のディスク１４５が第１のディスク１４１の上に位置して、前記装着部１２４に結合することができる。
【００３８】
図３乃至図７を参照すると、前記蓋１００は、上から下の方向に本体部１２０、ストロー差込部１４０、固定部の順に結合され、ストロー２０は、第１の貫通孔１２２ 、切開部１４４、第２の貫通孔１４８、第３の貫通孔１６４の順に蓋１００を通過して容器１０の内部に入ることになる。
【００３９】
また、前記本体部１２０、ストロー差込部１４０、固定部には、結合時に流動を防止するために、収容溝と突出部が形成されてもよい。つまり、前記ストロー差込部１４０の第１のディスク１４１は、上面に第１の突出部が形成され、下面には第２の収容溝１４２が形成されて、第２のディスク１４５は、上面に前記第２の収容溝１４２に収容される第２の突出部が形成され、下面には第３の収容溝１５０が形成される。そして、前記本体の下面（装着部１２４の内部）に前記第１の突出部が収容される第１の収容溝１２９が形成される。そして、前記固定部は、第３の貫通孔１６４の周りに前記第３の収容溝１５０に収容される第３の突出部が上側に延長形成される。
【００４０】
以下、本発明の好ましい第一の実施形態に係る幼児用飲料容器の使用方法を説明する。
容器１０の開口部に結合される蓋１００によって容器１０の内部に収容された飲料が外部に流出されることが一次的に防止される。そして、ストロー差込部１４０の切開部１４４は、ストロー２０を差し込まない場合は、容器１０の内部と外部を遮断するようになり、ストロー２０を差し込む場合には、容器１０の内側に撓んでストロー２０を取り囲むようになる。この時、気孔１４７を通して空気が容器１０の外部と内部を通るので、ストロー２０を利用して飲料を飲むことが可能である。
【００４１】
一方、図１０乃至図１８に示すように、本発明の第二の実施形態によると、蓋２００には、上から下の方向に本体部２２０、ストロー差込部２４０、固定部２９０の順に結合される。
【００４２】
前記本体部２２０は、容器１０の上側開口部を略密閉する部分であり、上下を貫通する第１の貫通孔２２２が形成され、前記第１の貫通孔２２２には、下方突出部２２３が第１の貫通孔２２２の周りに沿って下側に延長形成される。前記下方突出部２２３は、外周面に第１の収容溝２２９が形成されて後述するストロー差込部２４０が差し込まれるようになる。前記下方突出部２２３から一定距離離隔されて装着部２２４が下側に延長形成される。前記装着部２２４は、前記本体部２２０の下部に円筒状に形成され、後述する連結部２４９を嵌め込むために円筒状の一側が陥没して形成される。
【００４３】
前述した装着部２２４には、固定部２９０が結合されるが、この固定部２９０は、側面から見た断面がおおよそ「┗┛」の形状であり、前記装着部２２４の外側を取り囲む形でストロー２０が通過できる第３の貫通孔２９４が下部に形成され、前記装着部２２４の固定溝２２８に結合される固定段２９２が上部内側に突出形成されて前記装着部２２４に締まり嵌めされる。前記装着部２２４と前記固定部２９０が結合された時、装着部２２４と固定部２９０の内周面の高さの差は、ストロー差込部２４０の高さと略同じであり、前記装着部２２４と固定部２９０が結合された間に、前記ストロー差込部２４０が位置することになる。
【００４４】
前述したストロー差込部２４０は、図１１乃至図１５に示すように、第１のディスク２４１と第２のディスク２４５と連結部２４９で構成されるが、これらの中第１のディスク２４１は、ストロー差込部２４０が蓋２００に結合される時に上部に位置するもので、径が普通のストロー２０よりも大きく形成された円盤形態を有し、軟質の素材である。前記軟質の素材としては伸縮性と密閉力を同時に有するシリコンのような合成樹脂が好ましい。
【００４５】
前述した第１のディスク２４１の中央には、第２の貫通孔２４８が形成されるが、この第２の貫通孔２４８を通してストロー２０が差し込まれ、前記第２の貫通孔２４８は、ストロー２０の径よりも小さい径を有して形成される。
【００４６】
前述した第２の貫通孔２４８の周辺には、可撓部２６１が形成されるが、この可撓部２６１は、伸縮性を有する素材で薄い厚さで形成され、それによってストロー２０の径よりも小さい前記第２の貫通孔２４８にストローが差し込まれても可撓部２６１の伸縮性により、前記第２の孔２４８が拡張されるようになって、前記可撓部２６１は、スムーズにストローが差し込まれる方向に撓んで前記ストロー２０の外周部に密着してストロー２０の周りを密閉するようになる。
【００４７】
第２のディスク２４５は、ストロー差込部２４０が蓋２００に結合される時に下部に位置するものであり、前記第１のディスク２４１と対応する径を有する円盤形態に形成され、軟質の素材である。前記第２のディスク２４５は、第１のディスク２４１のように、前記軟質の素材としては、伸縮性と密閉力を有するシリコンのような合成樹脂が好ましい。
【００４８】
前述した第２のディスク２４５には、中央部にシール２７１が形成されるが、このシール２７１は、第１のディスク２４１の可撓部２６１のように伸縮性を有する素材で形成され、前記第１のディスク２４１の可撓部２６１よりも厚い厚さで形成されても構わない。これは、前記可撓部２６１は、ストロー２０の径よりも小さい第２の孔２４８が形成されるので、ストロー２０が通過するためには、より多くの伸縮性を必要とするからである。
【００４９】
前述したシール２７１には、切開部２４４が形成されるが、この切開部２４４は、第２のディスク２４５の中央からストローの径程度まで形成されて、２つの直線が十字状に交差する形状を有する。そこで、ストロー２０が差し込まれたら切開されたシール２７１が柔軟に下に撓んでストロー２０の外周部に密着するようになる。
【００５０】
前記したように、ストロー差込部２４０にストロー２０が差し込まれる時には、第１のディスク２４１に形成された第２の貫通孔２４８を先に通過してストロー２０の外周部が密閉されるようになり、その後、第２のディスク２４５に形成された切開部２４４を通過しながら密閉力を向上させ、ストロー２０を堅く結束することになり、本体部２２０に結合されたとき、ストロー２０を差し込んでもストロー２０の周りに飲料が漏れ出ない。しかし、ストロー２０を除くすべての空間が密閉されるようになると、ストロー２０で飲料を吸う場合、空気の移動が不可能になるため、大気圧差が生じないため飲料を飲みづらくなる問題点がある。
【００５１】
そこで、前述した第１のディスク２４１には、気孔２４７が形成されるようになるが、この気孔２４７は、空気が通過できるように微細な径で形成される。それによって、ストロー２０で飲料を吸い込む時、前記気孔２４７を通して空気が容器１０内に入ってくるようになって、気圧差を発生させ、ユーザーは簡単に飲料をストロー２０で飲めるようになる。また、気孔２４７は、図１６に示すように、上部の径が大きく下部の径が小さい漏斗状に形成され得る。これは、上部を通して空気は吸引するが、容器１０内に保存された飲料が気孔２４７を通して漏れ出ないようにするためである。
【００５２】
前述した第１のディスク２４１と第２のディスク２４５は、連結部２４９で連結されるようになる。この連結部２４９は、第１のディスク２４１と第２のディスク２４５を重ねて結合させるために、柔軟な素材で形成されることが好ましく、第１のディスク２４１と第２のディスク２４５の一側に結合される。また、前記連結部２４９の中間部には、溝部２５０が形成されて前記連結部２４９が半分に簡単に折れるようにする。
【００５３】
本発明の好ましい第二の実施形態によると、前記気孔２４７を通して容器１０内の水は漏れ出ることなく、ユーザーがストロー２０で飲料を吸い込んで飲む時、空気を容器１０内に出入りさせるために、図１６に示すように、前記第１のディスク２４１と前記第２のディスク２４５が重なる時、その縁は密閉されて結合され、その中央部には空間（ｖ）を形成することになる。
【００５４】
前述したように、第１のディスク２４１と前記第２のディスク２４５との間のエッジは密閉させて、中央部は空間（ｖ）を形成させるために、前記第１のディスク２４１の下部には、エッジに沿って、第１の段差２６３が形成される。
【００５５】
また、前述した第１の段差２６３の密閉力をより強化するために、第２のディスク２４５の上部面には、第１の段差２６３の幅だけ外径から離隔して形成される第２の突出部２４６が形成される。前記第１の段差２６３と前記第２の突出部２４６は、すべての断面が四角ばって形成され、歯車が噛み合うように前記第１の段差２６３の内部に前記第２の突出部２４６が噛み合って結合されて密閉力が向上する。
【００５６】
前述した第２のディスク２４５の上部面には、第２の突出部２４６から延長された弧状突出部２７５が形成されるが、図１３に示すように、前記弧状突出部２７５は、第１のディスク２４１に形成された気孔２４７の外周を半分程度取り囲む形で形成される。こうして空気は気孔２４７を通して出入りし、容器１０内に保存された飲料は、極力気孔２４７を通して漏れ出ないように接触面積を減らす。
【００５７】
前述した第１のディスク２４１の上面には、第１の突出部２４３が形成されてもよいが、この第１の突出部２４３は、ストロー差込部２４０が蓋２００に密着して設置されるようにするためであり、例えば図１６に示すように、容器１０の第１の貫通孔２２２の外周面の形状に合うように、第１のディスク２４１のエッジから一定間隔離隔された円周に沿って形成され、断面が四角い形で突出される。また、容器１０の形に応じて、第１の突出部２４３の形態は流動的で、その形状が変わってもよい。
【００５８】
前述した第２のディスク２４５の下端には、第２の段差２７３が形成されるが、前述した第１の突出部２４３と同様に、ストロー差込部２４０が蓋２００に密着して設置できるようにするために形成される。例えば、図１６に示すように、下端の縁に沿って形成され、断面が四角い形で突出して容器１０に形成される固定部２９０に結合することができる。また、容器１０の形に応じて、第２の段差２７３の形態は流動的で、その形状が変わってもよい。
【００５９】
前記したように、本発明の第二の実施形態によると、ストロー差込部２４０にストロー２０が差し込まれても、図７に示すように、第１のディスク２４１の可撓部２６１によってストロー２０の外周部が密閉されるようになり、第２のディスク２４５のシールによってさらに密閉力を強化するようになり、ストロー２０が動かず固定される。ユーザーがストロー２０で飲料を吸い込んで飲む場合には、第１のディスク２４１に形成された気孔２４７によって空気が出入りするので、気圧差が生じて、快適に飲料を飲むことができ、前記気孔２４７は、微細なサイズを有して周りに弧状突出部２７５が形成されることによって容器１０の内部の飲料は、外部にほとんど漏れ出ないようになる。
【００６０】
また、ストロー差込部２４０にストロー２０が差し込まれた状態で容器１０を傾けても、ストロー２０を除くすべての部分が水密性を有して水が漏れず、ストロー２０の内部には大気圧が作用してストローを通しても水が漏れ出ない。
【００６１】
上述したように、本発明の好ましい実施形態に係る幼児用飲料容器は、容器１０の蓋１００に、本体部１２０、ストロー差込部１４０及び固定部を含むため、容器１０に入った飲料を飲む時に飲料が容器１０の外部に流れることを防止することができる。
【００６２】
また、様々な種類のストロー２０を利用して容器１０に入った飲料を飲むことができ、洗浄のために部品の分離が可能であり、長期間繰り返し使用しても清潔な衛生状態を維持することができる。
【図１】
2016515503.tif 000003
【図２】
2016515503.tif 000004
【図３】
2016515503.tif 000005
【図４】
2016515503.tif 000006
【図５】
2016515503.tif 000007
【図６】
2016515503.tif 000008
【図７】
2016515503.tif 000009
【図８】
2016515503.tif 000010
【図９】
2016515503.tif 000011
【図１０】
2016515503.tif 000012
【図１１】
2016515503.tif 000013
【図１２】
2016515503.tif 000014
【図１３】
2016515503.tif 000015
【図１４】
2016515503.tif 000016
【図１５】
2016515503.tif 000017
【図１６】
2016515503.tif 000018
【図１７】
2016515503.tif 000019
【図１８】
2016515503.tif 000020
【国際調査報告】
2016515503.tif 000021
2016515503.tif 000022
2016515503.tif 000023
2016515503.tif 000024